(57)【要約】【課題】所持している間接活線工具であっても、夜間作業時の視界を改善することを実現した間接活線用照明装置を提供する。【解決手段】ライト部１０と、間接活線工具の一部に着脱自在に固定する固定部３０と、ライト部１０を一端部に固定し、固定部３０を他端部に固定する変形自在なフレキシブルシャフト２０とを備え、固定部３０を、間接活線工具における作業部分の近傍に取り付けることにより、ライト部１０を、間接活線工具における作業部分の近傍に配置する。【選択図】図１
2011076756.tif 000002
【特許請求の範囲】
【請求項１】
照明手段と、
間接活線工具の一部に着脱自在に固定する固定手段と、
前記照明手段を一端部に固定し、前記固定手段を他端部に固定する変形自在なフレキシブルシャフトとを備えたことを特徴とする間接活線用照明装置。
【請求項２】
前記固定手段は、開閉可能な一対の把持体と、当該把持体を常時閉じる方向に付勢するバネ材とを有し、前記間接活線工具の一部を挟んだ状態で、前記間接活線工具に固定されるクリップ体からなり、
前記一対の把持体は、前記間接活線工具の一部を囲むように挟持する凹部を有することを特徴とする請求項１記載の間接活線用照明装置。
【請求項３】
前記照明手段は、ＬＥＤを光源として備えることを特徴とする請求項１又は２記載の間接活線用照明装置。
【発明の詳細な説明】
【技術分野】
【０００１】
本発明は、間接活線作業の際に用いる間接活線用照明装置に関する。
【背景技術】
【０００２】
従来より、間接活線作業を行う場合には、高所作業車両のバケットに作業員が乗り込み、このバケットを移動させて、作業場所近傍まで近づける。そして、作業員は、設備の作業箇所から１〜２ｍ程度離れた場所で操作棒などの間接活線工具を用いて遠隔で縁線の切り離しや接続作業などの細かい作業を、例えば充電線路を直接触れることなく実施している。
【０００３】
この場合、絶縁手袋を用いて作業員が手元で作業するのでなく、１〜２ｍ離れた箇所から、遠隔で操作棒などを用いて細かい作業をするため、作業対象物の状況を十分に把握する必要がある。特に夜間においては、作業対象物が視認できるように、ヘルメットに取り付けたキャップランプによって作業対象物を照らしながら作業を行っている。
【０００４】
また、従来、この種の技術としては、電線や配管などの被挟持物に挟着する作業用照明具であって、被挟持物に挟着する挟持片の先端部に複数の発光体を配設し、夜間や暗所における電線の端末処理作業において、作業処理する部位を照射することによって、作業車の位置や周囲の構築物に影響されることなく作業を進めることができるようにする、という技術が提案されている（特許文献１）。
【先行技術文献】
【特許文献】
【０００５】
【特許文献１】特開２００７−２００７６０号公報
【発明の概要】
【発明が解決しようとする課題】
【０００６】
ところで、特許文献１によれば、作業対象物に対して、キャップランプによる照明方向とは別の方向から作業用照明具が照明するため、キャップランプによって作業対象物を照明することによって生じる影を低減することができる。
【０００７】
ここで、作業対象物を明るく照明するためには、作業用照明具が作業対象物を近い位置に配置する方が有利である。しかしながら、作業用照明具が作業対象物を近いと、活線作業を行う際に作業用照明具が障害になるおそれがある。このため、作業対象物から若干離れた位置に配置する必要がある。その一方で、作業用照明具を作業対象物から離しすぎると、その分作業対象物を照射する光量が低下し、キャップランプからの照明によって発生する影を低減させる効果が得にくくなり、作業対象物が視認しにくくなる、といった問題点は依然として残るようになる。逆に、作業用照明具の光量を大きくすると、作業者が作業用照明具からの光を眩しく感じるようになり、作業性に影響を与えるおそれがある。
【０００８】
本発明は、このような問題点を解決し、間接活線工具における作業部分に影が生じにくくしかも作業部分を明るく照明することにより、夜間作業時の視界を改善することを実現した間接活線用照明装置を提供することを目的とする。
【課題を解決するための手段】
【０００９】
前記目的を達成するため、本発明は、次に記載する構成を備えている。
【００１０】
（１）照明手段と、間接活線工具の一部に着脱自在に固定する固定手段と、前記照明手段を一端部に固定し、前記固定手段を他端部に固定する変形自在なフレキシブルシャフトとを備えたことを特徴とする間接活線用照明装置。
【００１１】
（２）（１）において、前記固定手段は、開閉可能な一対の把持体と、当該把持体を常時閉じる方向に付勢するバネ材とを有し、前記間接活線工具の一部を挟んだ状態で、前記間接活線工具に固定されるクリップ体からなり、前記一対の把持体は、前記間接活線工具の一部を囲むように挟持する凹部を有することを特徴とする間接活線用照明装置。
【００１２】
（３）（１）又は（２）において、前記照明手段は、ＬＥＤを光源として備えることを特徴とする間接活線用照明装置。
【００１３】
（１）によれば、固定手段を、間接活線工具における作業部分の近傍に取り付けることにより、照明手段を、間接活線工具における作業部分の近傍に配置することができる。また、フレキシブルシャフトを変形させることにより、照明手段の照明方向や照明位置を適宜決定することが可能となる。これにより、キャップランプと併用した場合に、照明手段が、キャップランプの照明方向とは別の方向から間接活線工具における作業部分を照明するように調整することが可能になり、間接活線工具における作業部分に影が生じにくくなる。しかも作業部分を明るく照明することが可能になり、夜間作業時の視界を改善することが可能になる。
【００１４】
（２）によれば、作業員の操作によって一対の把持体を開閉させることにより、固定手段の位置を変えることが容易に可能になる。また、凹部において間接活線工具の一部を囲むように挟持するため、間接活線工具と一対の把持体との接触面積が多くなるため、より確実に固定手段を間接活線工具に固定することが可能になる。
【００１５】
（３）によれば、照明手段の光源をＬＥＤとすることにより、バッテリ消費を抑え、長時間点灯させることが可能になる。
【発明の効果】
【００１６】
本発明によれば、既に所持している間接活線工具であっても、作業対象物を確実に照明することが可能になり、夜間作業時の視界を改善することが可能になる。
【図面の簡単な説明】
【００１７】
【図１】本発明の一実施形態における間接活線用照明装置の外観を示す斜視図である。
【図２】固定部３０の構成を示す側面図である。
【図３】間接活線工具５０に間接活線用照明装置１を取り付けた状態を示す説明図である。
【図４】間接活線用照明装置１を取り付けた間接活線工具５０による活線作業例を示す説明図である。
【発明を実施するための形態】
【００１８】
以下、本発明の実施形態について、図面を参照しながら詳細に説明する。
【００１９】
図１は本発明の一実施形態における間接活線用照明装置の外観を示す斜視図である。間接活線用照明装置１は、ライト部１０と、ライト部１０を一端部に支持する変形自在なフレキシブルシャフト２０と、フレキシブルシャフト２０の他端部に取り付けられ、間接活線工具５０（図３参照）に着脱自在に固定する固定部３０とによって構成されている。このように、ライト部１０は、照明手段に相当し、固定部３０は、間接活線工具の一部に着脱自在に固定する固定手段に相当し、フレキシブルシャフト２０は、照明手段を一端部に固定し、固定手段を他端部に固定する変形自在なフレキシブルシャフトに相当する。
【００２０】
ライト部１０には、互いに分離、結合可能な第１筐体１１及び第２筐体１２が備えられている。第１筐体１１には、光源としてのＬＥＤや、光源から光を照明対象物側に反射する反射板などが収納されている。また、第２筐体１２には、フレキシブルシャフト２０の一端が支持される支持部や、電源としての電池の収納部、さらには電池からＬＥＤに供給する電流をオン、オフするスイッチなどが収納されている。そして、第１筐体１１と第２筐体１２とを組み合わせることにより、電池とスイッチとＬＥＤとならなる回路が形成され、スイッチの操作により、ＬＥＤが点灯、消灯する。
【００２１】
フレキシブルシャフト２０は、金属あるいは樹脂によって構成された可撓性部材であり、変形させた形状を維持する性質を備えている。
【００２２】
図２は固定部３０の構成を示す側面図であり、固定部３０は、一対の把持体３２、３２、板バネからなるバネ材３５、一対の把持体３２、３２の中央部を互いに回動可能に軸支する支持軸３１によって構成されている。
把持体３２、３２は、略くの字状の部材であり、把持体３２、３２の屈曲部分に支持軸３１を取り付ける取付部が形成されている。また、把持体３２、３２における支持軸３１の取付部に対して一端側中央部に、半円形の凹部３４が形成されている。また、把持体３２、３２は、支持軸３１の取付部に対して一端側先端部に貫通孔３６、３６が形成されている。
【００２３】
そして、一対の把持体３２、３２の取付部に支持軸３１を挿入することにより、把持体３２、３２が互いに回動して、把持体３２、３２の一端側が開閉可能になる。さらに、一対の把持体３２、３２における支持軸３１の取付部に対して他端側に、バネ材３５が設けられる。このバネ材３５により、他端側が常時開く方向に付勢されるため、把持体３２、３２の一端側が常時閉じる方向に付勢され、閉じた状態で維持されるようになる。このように、固定部３０は、一対の把持体３２、３２によって、固定対象物すなわち間接活線工具５０（図３参照）の一部を挟んだ状態で、間接活線工具（図３参照）に固定されるクリップ体として構成されている。
【００２４】
通常状態においては、把持体３２、３２の一端部が閉じた状態であり、このとき、把持体３２、３２の凹部３４、３４によって略円形が形成される。また、把持体３２、３２は、回動軸に対して一端側先端部に貫通孔３６、３６が形成されている。この貫通孔３６、３６の内面にはねじ山が形成されており、通常状態においては、貫通孔３６、３６が同軸上に重なりあうようになる。そして、この貫通孔３６、３６にボルト３８を螺合することによって、把持体３２、３２の一端部を固定することが可能である。なお、ねじ山が形成されていない貫通孔３６、３６にボルトを挿入し、このボルトの端部にナットを取り付けて固定してもよい。
【００２５】
間接活線用照明装置１を間接活線工具５０（図３参照）に固定する際には、まず、作業員が固定部３０の一対の把持体３２、３２の他端部に力を加え、他端部同士を近づけるように回動させることにより、把持体３２、３２の一端部が開いた状態となる。この状態で、凹部３４、３４の間に、間接活線工具５０（図３参照）の所定の部位を位置付け、作業員が一対の把持体３２、３２の他端部を手放すことにより、固定部３０が間接活線工具５０（図３参照）に仮固定される。このとき、一対の把持体３２、３２は、凹部３４、３４によって間接活線工具５０の一部を囲むように挟持するようになる。そして、貫通孔３６、３６にボルト３８を螺合することによって、固定部３０が間接活線工具５０（図３参照）に固定される。
【００２６】
図３は間接活線工具５０に間接活線用照明装置１を取り付けた状態を示す説明図である。間接活線工具には、例えば、２軸回転操作棒、ストレーリンクトング、絶縁ヤットコ、共用操作棒（絶縁操作棒）がある。図３に示す間接活線工具５０は、絶縁ヤットコであるが、前述した他の間接活線工具に間接活線用照明装置１を取り付けてもよい。
【００２７】
間接活線工具５０は、把持部５２と、本体シャフト５４、伝達シャフト５６と、操作レバー５８とを備えている。把持部５２は、作業対象物を把持するためのものであり、本体シャフト５４の一端に固定されている。本体シャフト５４の他端部には操作レバー５８が設けられており、把持部５２と操作レバー５８とは伝達シャフト５６によって連結されている。
【００２８】
そして、作業員が、本体シャフト５４の他端部を持って、操作レバー５８を操作することにより、駆動力が伝達シャフト５６を介して把持部５２に伝達され、把持部５２が開閉するようになる。
【００２９】
図３は、把持部５２近傍の伝達シャフト５６の一部に、間接活線用照明装置１を取り付けた例を示すものである。作業員は、間接活線工具５０に間接活線用照明装置１を取り付け後に、フレキシブルシャフト２０を変形させながら、ライト部１０の位置や方向を調節する。例えば、ライト部１０が把持部５２を向くように調整する。そして、ライト部１０のＬＥＤを点灯させた後、作業員は活線作業を開始する。
【００３０】
図４は、間接活線用照明装置１を取り付けた間接活線工具５０による活線作業例を示す説明図である。
【００３１】
高所作業車（図示せず）に装備されているバケット１００に、作業員が、間接活線用照明装置１を取り付けた間接活線工具５０とともに乗り込んだ後、バケット１００を高所の所定位置に移動させる。そして、作業員は、ライト部１０及びキャップランプ１１０を点灯させ、ライト部１０の照明方向を調整した後、間接活線工具５０を持って、活線作業を行う。このとき、キャップランプ１１０による照明方向とは別の方向からライト部１０が照明するように、ライト部１０の照明位置及び照明方向を調整しておくことにより、把持部５２付近に影をつくることが低減される。したがって、活線作業を行う付近を明るくするとともに、影をつくることが低減されるため、キャップランプ１１０との併用によって夜間作業時の視界をさらに改善することが可能になる。
【００３２】
以上、説明したように構成された本実施形態によれば、次に記載する作用効果を奏する。
【００３３】
本実施形態によれば、固定手段（固定部３０）を、間接活線工具（間接活線工具５０）における作業部分の近傍に取り付けることにより、照明手段（ライト部１０）を、間接活線工具（間接活線工具５０）における作業部分の近傍に配置することができる。また、フレキシブルシャフト（フレキシブルシャフト２０）を変形させることにより、照明手段の照明方向や照明位置を適宜決定することが可能となる。これにより、キャップランプ（キャップランプ１１０）と併用した場合に、照明手段が、キャップランプの照明方向とは別の方向から間接活線工具における作業部分を照明するように調整することが可能になり、間接活線工具における作業部分に影が生じにくくなる。しかも作業部分を明るく照明することが可能になり、既に所持している間接活線工具であっても、固定手段（固定部３０）を介して照明手段（ライト部１０）を取り付けることにより、夜間作業時の視界を改善することが可能になる。
【００３４】
また本実施形態によれば、固定手段（固定部３０）はクリップ体からなり、作業員の操作によって一対の把持体（把持体３２、３２）を開閉させることにより、固定手段の位置を変えることが容易に可能になる。また、凹部（凹部３４、３４）において間接活線工具（間接活線工具５０）の一部を囲むように挟持するため、間接活線工具と一対の把持体との接触面積が多くなるため、より確実に固定手段を間接活線工具に固定することが可能になる。
【００３５】
また本実施形態によれば、照明手段（ライト部１０）の光源をＬＥＤとすることにより、バッテリ消費を抑え、長時間点灯させることが可能になる。
【００３６】
以上、本実施形態について説明したが、本発明の実施形態は、上述したものに限るものではない。例えば、フレキシブルシャフト２０は、可撓性を有する金属あるいは樹脂によって構成されているが、それに限らず、複数のアームと関節部によって構成してもよい。
【００３７】
また、図３においては、間接活線工具５０に一つの間接活線用照明装置１を取り付けているが、２つあるいはそれ以上の数の間接活線用照明装置１を取り付けてもよい。
【符号の説明】
【００３８】
１  間接活線用照明装置
１０  ライト部
１１  第１筐体
１２  第２筐体
２０  フレキシブルシャフト
３０  固定部
３１  支持軸
３２  把持体
３４  凹部
３５  バネ材
３６  貫通孔
３８  ボルト
５０  間接活線工具
５２  把持部
５４  本体シャフト
５６  伝達シャフト
５８  操作レバー
１００  バケット
１１０  キャップランプ
【図１】
2011076756.tif 000003
【図２】
2011076756.tif 000004
【図３】
2011076756.tif 000005
【図４】
2011076756.tif 000006